【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
発光色が互いに異なる複数の発光素子を有する発光手段と、
前記発光手段からの光を画像データに基づいて変調することで画面に画像を表示する表示手段と、
前記画面の所定領域において、彩度レベルが第１彩度レベル未満である第１タイプ画素の総数の前記所定領域の総画素数に対する割合が第１割合以上であるか否かを判定する第１判定手段と、
前記所定領域において、彩度レベルが第２彩度レベル以上である第２タイプ画素の総数の前記所定領域の総画素数に対する割合が第２割合以上であるかを判定する第２判定手段と、
前記第１判定手段の判定結果が肯定的であり、かつ、前記第２判定手段の判定結果が肯定的である場合に、そうでない場合に比べて、前記複数の発光素子のうちの少なくとも１つの発光素子である対象素子の発光輝度を高める制御手段と、
を有することを特徴とする表示装置。
【請求項２】
前記複数の発光素子のそれぞれの発光輝度を前記画像データに基づいて決定する決定手段と、
前記決定手段で決定された前記対象素子の発光輝度を、前記対象素子の発光色についての彩度レベルが第２彩度レベル以上である第２タイプ画素の数が多いほど大きい値に補正する補正手段と、
を有する
ことを特徴とする請求項１に記載の表示装置。
【請求項３】
前記対象素子の発光輝度が上限値を超えないように、前記補正手段による補正後の発光輝度を制限する制限手段を有する
ことを特徴とする請求項２に記載の表示装置。
【請求項４】
前記決定手段は、前記複数の発光素子のそれぞれについて、所定の基準値に対する発光輝度の増加率を前記画像データに基づいて決定し、
前記補正手段は、前記決定手段で決定された前記対象素子の発光輝度の増加率を、前記対象素子の発光色についての彩度レベルが第２彩度レベル以上である第２タイプ画素の数
が多いほど大きい値に補正し、
前記表示装置は、前記決定手段が決定する増加率の上限値を設定する設定手段を有し、
前記発光輝度の上限値をＢ１、前記設定手段で設定された上限値で前記所定の基準値を補正した値をＢ２、とした場合に、前記制限手段は、前記補正手段による補正後の増加率をＢ１／Ｂ２以下の値に制限する
ことを特徴とする請求項３に記載の表示装置。
【請求項５】
画像データの階調数の下限値を設定する階調数設定手段を有し、
前記設定手段は、前記階調数設定手段で設定された下限値が大きいほど小さい値を増加率の上限値として設定する
ことを特徴とする請求項４に記載の表示装置。
【請求項６】
前記複数の発光素子の発光輝度に合わせて前記画像データを補正する画像補正手段を有し、
前記表示手段は、前記発光手段からの光を前記画像補正手段による補正後の画像データに基づいて変調する
ことを特徴とする請求項１〜５のいずれか１項に記載の表示装置。
【請求項７】
前記対象素子の発光輝度を高めることにより、前記発光手段から発せられた光の色が変更され、
前記画像補正手段は、前記発光手段から発せられた光の色の変更方向に前記画面に表示された画像の色域が拡大されるように、前記画像データを補正する
ことを特徴とする請求項６に記載の表示装置。
【請求項８】
前記画像データは、高輝度領域の輝度階調が圧縮された画像データであり、
前記画像補正手段は、前記画像データの前記高輝度領域の輝度値を高める
ことを特徴とする請求項６または７に記載の表示装置。
【請求項９】
前記発光手段を複数有し、
前記第１判定手段は、前記発光手段ごとに、その発光手段に対応する対応領域において、第１タイプ画素の総数の当該対応領域の総画素数に対する割合が前記第１割合以上であるか否かを判定し、
前記第２判定手段は、前記第１判定手段の判定結果が肯定的である発光手段に対応する対応領域において、第２タイプ画素の総数の当該対応領域の総画素数に対する割合が前記第２割合以上であるか否かを判定する
ことを特徴とする請求項１〜８のいずれか１項に記載の表示装置。
【請求項１０】
前記第２判定手段は、前記複数の発光素子に対応する複数の発光色のそれぞれについて、その発光色についての彩度レベルが前記第２彩度レベル以上である画素を前記第２タイプ画素として用いて判定を行い、
前記制御手段は、前記第２判定手段の判定結果が肯定的である発光素子の発光輝度を高める
ことを特徴とする請求項１〜９のいずれか１項に記載の表示装置。
【請求項１１】
前記第１タイプ画素は、前記複数の発光素子のそれぞれとの間で発光素子の発光色と画素の色との差が第１閾値より大きい画素であり、
前記第２タイプ画素は、前記複数の発光素子のいずれかの発光色と画素の色との差が第２閾値以下の画素である
ことを特徴とする請求項１〜１０のいずれか１項に記載の表示装置。
【請求項１２】
発光色が互いに異なる複数の発光素子を有する発光手段と、
前記発光手段からの光を画像データに基づいて変調することで画面に画像を表示する表示手段と、
を有する表示装置の制御方法であって、
前記画面の所定領域において、彩度レベルが第１彩度レベル未満である第１タイプ画素の総数の前記所定領域の総画素数に対する割合が第１割合以上であるか否かを判定する第１判定ステップと、
前記所定領域において、彩度レベルが第２彩度レベル以上である第２タイプ画素の総数の前記所定領域の総画素数に対する割合が第２割合以上であるかを判定する第２判定ステップと、
前記第１判定ステップの判定結果が肯定的であり、かつ前記第２判定ステップの判定結果が肯定的である場合に、そうでない場合に比べて、前記複数の発光素子のうちの少なくとも１つの発光素子である対象素子の発光輝度を高める制御ステップと、
を有することを特徴とする表示装置の制御方法。
【請求項１３】
発光色が互いに異なる複数の発光素子を有する発光手段と、
前記発光手段からの光を画像データに基づいて変調することで画面に画像を表示する表示手段と、
前記複数の発光素子のそれぞれの発光輝度を前記画像データに基づいて決定する決定手段と、
前記画面の所定領域において、彩度レベルが第１彩度レベル未満である第１タイプ画素の数と、彩度レベルが第２彩度レベル以上である第２タイプ画素の数とに基づいて、前記複数の発光素子のうちの少なくとも１つの発光素子である対象素子について、前記決定手段で決定された発光輝度を高める補正をする補正手段と、
を有することを特徴とする表示装置。
【請求項１４】
前記補正手段は、前記決定手段で決定された前記対象素子の発光輝度を、前記対象素子の発光色についての彩度レベルが第２彩度レベル以上である第２タイプ画素の数が多いほど大きい値に補正する
ことを特徴とする請求項１３に記載の表示装置。
【請求項１５】
前記対象素子の発光輝度が上限値を超えないように、前記補正手段による補正後の発光輝度を制限する制限手段を有する
ことを特徴とする請求項１３または１４に記載の表示装置。
【請求項１６】
前記発光手段を複数有し、
前記決定手段は、各発光手段の前記複数の発光素子のそれぞれの発光輝度を、その発光手段に対応する対応領域に表示される画像データに基づいて決定し、
前記補正手段は、各発光手段に対応する対応領域において、彩度レベルが第１彩度レベル未満である第１タイプ画素の数と、彩度レベルが第２彩度レベル以上である第２タイプ画素の数とに基づいて、各発光手段の前記複数の発光素子のうちの少なくとも１つの発光素子である対象素子について、前記決定手段で決定された発光輝度を高める補正をする
ことを特徴とする請求項１３〜１５のいずれか１項に記載の表示装置。
【請求項１７】
前記第１タイプ画素は、前記複数の発光素子のそれぞれとの間で発光素子の発光色と画素の色との差が第１閾値より大きい画素であり、
前記第２タイプ画素は、前記複数の発光素子のいずれかの発光色と画素の色との差が第２閾値以下の画素である
ことを特徴とする請求項１３〜１６のいずれか１項に記載の表示装置。
【請求項１８】
発光色が互いに異なる複数の発光素子を有する発光手段と、
前記発光手段からの光を画像データに基づいて変調することで画面に画像を表示する表示手段と、
を有する表示装置の制御方法であって、
前記複数の発光素子のそれぞれの発光輝度を前記画像データに基づいて決定する決定ステップと、
前記画面の所定領域において、彩度レベルが第１彩度レベル未満である第１タイプ画素の数と、彩度レベルが第２彩度レベル以上である第２タイプ画素の数とに基づいて、前記複数の発光素子のうちの少なくとも１つの発光素子である対象素子について、前記決定ステップで決定された発光輝度を高める補正をする補正ステップと、
を有することを特徴とする表示装置の制御方法。
【手続補正２】
【補正対象書類名】明細書
【補正対象項目名】０００７
【補正方法】変更
【補正の内容】
【０００７】
本発明の第１の態様は、
発光色が互いに異なる複数の発光素子を有する発光手段と、
前記発光手段からの光を画像データに基づいて変調することで画面に画像を表示する表示手段と、
前記画面の所定領域において、彩度レベルが第１彩度レベル未満である第１タイプ画素の総数の前記所定領域の総画素数に対する割合が第１割合以上であるか否かを判定する第１判定手段と、
前記所定領域において、彩度レベルが第２彩度レベル以上である第２タイプ画素の総数の前記所定領域の総画素数に対する割合が第２割合以上であるかを判定する第２判定手段と、
前記第１判定手段の判定結果が肯定的であり、かつ、前記第２判定手段の判定結果が肯定的である場合に、そうでない場合に比べて、前記複数の発光素子のうちの少なくとも１つの発光素子である対象素子の発光輝度を高める制御手段と、
を有することを特徴とする表示装置である。
【手続補正３】
【補正対象書類名】明細書
【補正対象項目名】０００８
【補正方法】変更
【補正の内容】
【０００８】
本発明の第２の態様は、
発光色が互いに異なる複数の発光素子を有する発光手段と、
前記発光手段からの光を画像データに基づいて変調することで画面に画像を表示する表示手段と、
を有する表示装置の制御方法であって、
前記画面の所定領域において、彩度レベルが第１彩度レベル未満である第１タイプ画素の総数の前記所定領域の総画素数に対する割合が第１割合以上であるか否かを判定する第１判定ステップと、
前記所定領域において、彩度レベルが第２彩度レベル以上である第２タイプ画素の総数の前記所定領域の総画素数に対する割合が第２割合以上であるかを判定する第２判定ステップと、
前記第１判定ステップの判定結果が肯定的であり、かつ前記第２判定ステップの判定結果が肯定的である場合に、そうでない場合に比べて、前記複数の発光素子のうちの少なく
とも１つの発光素子である対象素子の発光輝度を高める制御ステップと、
を有することを特徴とする表示装置の制御方法である。
【手続補正４】
【補正対象書類名】明細書
【補正対象項目名】０００９
【補正方法】変更
【補正の内容】
【０００９】
本発明の第３の態様は、
発光色が互いに異なる複数の発光素子を有する発光手段と、
前記発光手段からの光を画像データに基づいて変調することで画面に画像を表示する表示手段と、
前記複数の発光素子のそれぞれの発光輝度を前記画像データに基づいて決定する決定手段と、
前記画面の所定領域において、彩度レベルが第１彩度レベル未満である第１タイプ画素の数と、彩度レベルが第２彩度レベル以上である第２タイプ画素の数とに基づいて、前記複数の発光素子のうちの少なくとも１つの発光素子である対象素子について、前記決定手段で決定された発光輝度を高める補正をする補正手段と、
を有することを特徴とする表示装置である。
本発明の第４の態様は、
発光色が互いに異なる複数の発光素子を有する発光手段と、
前記発光手段からの光を画像データに基づいて変調することで画面に画像を表示する表示手段と、
を有する表示装置の制御方法であって、
前記複数の発光素子のそれぞれの発光輝度を前記画像データに基づいて決定する決定ステップと、
前記画面の所定領域において、彩度レベルが第１彩度レベル未満である第１タイプ画素の数と、彩度レベルが第２彩度レベル以上である第２タイプ画素の数とに基づいて、前記複数の発光素子のうちの少なくとも１つの発光素子である対象素子について、前記決定ステップで決定された発光輝度を高める補正をする補正ステップと、
を有することを特徴とする表示装置の制御方法である。
【手続補正５】
【補正対象書類名】明細書
【補正対象項目名】００１７
【補正方法】変更
【補正の内容】
【００１７】
また、特徴量取得部１０３は、入力画像データの画素の中から、非対応画素（第１タイプ画素）と対応画素（第２タイプ画素）を検出する。非対応画素は、バックライト１０１が有する複数の発光素子のそれぞれとの間で、発光素子の発光色と画素の色との差が第１閾値より大きい画素である。対応画素は、バックライト１０１が有する複数の発光素子のいずれかとの間で、発光素子の発光色と画素の色との差が第２閾値以下の画素である。具体的には、光源毎に、その光源に対応する対応領域に表示すべき画素の中から非対応画素と対応画素が検出される。
本実施例では、彩度レベルが閾値Ｃ１未満（第１彩度レベル未満）の画素が、低彩度の画素であると判断され、非対応画素であると判断される。また、彩度レベルが閾値Ｃ１以上かつ閾値Ｃ２未満の画素が、中彩度の画素であると判断される。そして、彩度レベルが閾値Ｃ２以上（第２彩度レベル以上）の画素が高彩度であると判断され、対応画素であると判断される。ここで、０＜閾値Ｃ１≦閾値Ｃ２≦１である。純白色の彩度レベルを０、純赤色／純緑色／純青色の彩度レベルを１とした場合、例えば、閾値Ｃ１として０．３が
設定され、閾値Ｃ２として０．７が設定される。高彩度の画素は、発光素子の発光色に対する色純度が閾値Ｃ２以上の画素ということもできる。そして、低彩度の画素は、発光素子の発光色に対する色純度が閾値Ｃ１未満の画素ということもできる。
なお、第１閾値、第２閾値、閾値Ｃ１、閾値Ｃ２は、どのような値であってもよい。これらの閾値は、メーカ等によって予め定められた固定値であってもよいし、ユーザが任意に設定変更可能な値であってもよい。第２閾値は、第１閾値と同じ値であってもよいし、第１閾値と異なる値であってもよい。
なお、本発明における彩度とは、色のあざやかさの度合いを示すものであり、例えば、ＨＳＶ色空間（色相：Ｈｕｅ、彩度：Ｓａｔｕｒａｔｉｏｎ、明度：Ｖａｌｕｅの３つの成分から成る色空間）など、特定の色空間を構成する要素の１つとしての彩度に限定されるものではない。